(57)【要約】  ＴＤＤ呼び出し中にソフトウエアＦＤＤモニタリングを切る装置（７００）及び方法（６１０，６２０，６３０）は、デュアル・モードＷＣＤＭＡ及びＰＣＳ／ＤＣＳハンドセット（１００）の中の従来の外部ノッチ・フィルタ（１１４）の除去を可能にする。ＷＣＤＭＡＲＸフレームがＤＳＣ送信中にＰＳＣ／ＤＳＣ送信器雑音により破損される２〜３のスロットを有することが可能にされ、そしてスキームが、破損されたスロットを考慮しないで、要求された情報を回復するため用いられる。ＷＣＤＭＡＦＤＤ ＲＸモニタリング中に、要求された処理が段階的に実行されることに起因して、そしてＷＣＤＭＡフレーム中に測定される情報が全てのフレームで繰り返されるので、本発明のスキームは、所与のスロットがＷＣＤＭＡフレームで破損された場合、次のＷＣＤＭＡフレームで、スロットは、ＰＣＳ／ＤＣＳ送信器プロトコルとＷＣＤＭＡタイミング・プロトコルとの間のタイミング差に起因してそれ以上破損されないであろうというアイデアに基づいている。これは、外部のノッチ・フィルタを必要としない（コスト、サイズ及び電力消費の低減）という利点を提供し、そしてＵＭＴＳシステムに関するＤＣＳ（ＴＤＤ）呼び出し中にＷＣＤＭＡ（ＦＤＤ）モニタリングするサポートが、維持される。
2008505572.tif 000002
【特許請求の範囲】
【請求項１】
信号を第１及び第２のモードで受信する無線通信端末（７００）のためのモニタリング装置（７１０）であって、前記第１及び第２のモードの前記の受信された信号が、異なる長さのフレームと各フレームの中に異なる数のスロットとを備え、前記第２モードの前記の受信された信号の連続的スロットが、後続のフレームで繰り返される信号データを含む、前記モニタリング装置（７１０）において、
前記モニタリング装置（７１０）が、
前記端末が前記第１のモードで通信している間に、
少なくとも３つの連続的第２モード・フレームの前記連続的スロット中に前記第２モード信号データをモニタリングし、且つ前記第２モード信号データを処理し、
前記スロットが前記第１のモードでの送信と同時である場合第２モード・フレームのスロット中に受信された前記第２モード信号データの処理を禁止し、及び
前記第１のモードでの送信と同時でない前記少なくとも３つの連続的第２モード・フレームのうちの後続の第２モード・フレームの対応のスロットから１フレーム中に禁止されたスロットの前記第２モード信号データの処理を使用可能にする
よう動作可能であるモニタリング装置。
【請求項２】
第２モード・フレームのスロットが前記第１のモードでの送信と同時であるときを検出するタイマ手段（７２０，７３０）を備える請求項１記載のモニタリング装置。
【請求項３】
前記第２のモードが、符号分割多元接続（ＣＤＭＡ）を備える請求項１又は２記載のモニタリング装置。
【請求項４】
前記第１のモードが、ＧＳＭを備える請求項３記載のモニタリング装置。
【請求項５】
前記第１のモードが、ＤＣＳを備え、
前記第２のモードが、ＵＭＴＳを備える
請求項４記載のモニタリング装置。
【請求項６】
主同期化チャネルについてのスロット同期化段階、副同期化チャネルについてのフレーム同期化段階、及びパイロット・チャネル決定段階を含むセル測定の少なくとも３段階で動作し、且つ
少なくとも前記フレーム同期化段階において前記第２モード信号データをモニタリングする
よう構成されている請求項１から５のいずれか一項に記載のモニタリング装置。
【請求項７】
或る一定の数の前記第２モード・フレームに応答するフレーム検出器（７７０）と、
前記フレーム検出器に結合され、前記フレーム検出器が前記第２モード・フレームの少なくとも３つの繰り返しを検出するまで前記第２モード・データの処理を遅延する遅延手段（７７０）と
を備える請求項１から６のいずれか一項に記載のモニタリング装置。
【請求項８】
ハンドオーバ判断データベース（７６０）を格納するメモリを備え、
前記遅延手段が、前記フレーム検出器が前記第２モード・フレームの少なくとも３つの繰り返しを検出するまで、前記第２モード・データに応答して、前記ハンドオーバ決断データベースの更新を遅延するよう構成されている
請求項７記載のモニタリング装置。
【請求項９】
請求項１から８のいずれか一項に記載のモニタリング装置を備える無線通信端末。
【発明の詳細な説明】
【技術分野】
【０００１】
本発明は、デュアル・モード通信システムに関し、特に（排他的ではないが）、例えば、ＵＭＴＳ（ユニバーサル移動電話システム）システムのようなデュアル・モード・セルラ通信システムに関し、そこにおいては、ＷＣＤＭＡ（広帯域符号分割多元接続又はＷＢＣＤＭＡ）ＦＤＤ（周波数分割デュープレックス）セルは、ＤＣＳ（デジタル・セルラ・システム）ＴＤＤ（時分割デュープレックス）セルと共存する。そのようなセルラ通信システムにおいては、移動ユニットは、当該移動ユニットが既にＴＤＤにおいてアクティブな呼状態にあるとき、例えば、移動ユニットがＧＳＭにおいてＤＣＳ帯域で送信しており、且つ移動ユニットが将来のセル再選択又はハンドオーバ・プロセスが正しく起きることを可能にするため幾らかのＷＣＤＭＡセルをモニタリングするべきとき、ＦＤＤセルをモニタリングするよう要求される。本発明はまた、例えば、移動ユニットが米国での場合のように、ＰＣＳ（ＴＤＤモード）で送信している間に、ＰＣＳ（パーソナル・コミュニケーション・システム）帯域におけるＷＣＤＭＡ（ＦＤＤモード）のような他の共存するシステムに適用可能である。
【背景技術】
【０００２】
本発明の分野における従来技術のシステムにおいては、ＳＡＷ（表面音響波）セラミック・フィルタの形式のハードウエア構成要素をＤＣＳ送信器の電力増幅器の出力に用いて、ＷＣＤＭＡ受信器で発生した雑音を除去することが知られている。この外部フィルタは、それがＷＣＤＭＡＲＸ（受信）帯域におけるＤＣＳの発生されたＴＸ（送信）雑音をカットする（ｎｏｔｃｈ）ので、ノッチ・フィルタと呼ばれる。ＷＣＤＭＡＲＸ帯域は最低で２１１０ＭＨｚにあり、そしてＤＣＳ ＴＸの上側周波数は、１９８０ＭＨｚにあるので、周波数におけるデルタが、小さく、即ち１３０ＭＨｚであり、そして電力増幅器雑音が受信雑音の要求されたレベルより４０ｄＢ程度高くできるので、これは、１９８０ＭＨｚの周波数において１３０ＭＨｚずれたところで４０ｄＢより多くフィルタリングするノッチ・フィルタを持つ必要性をもたらし、その結果高いＱのフィルタが必要となり、従って、１．５ｄＢ−１．８ｄＢの範囲のより高い挿入損失をもたらす。このことは、ＤＣＳ又はＰＣＳ送信器の出力電力を増大することを必要とし、それは、移動ユニットの話中時間を著しく（例えば、２０％）低減する。
【０００３】
その上、この既知のアプローチは、次のような欠点を有する。即ち、
・ＤＣＳ又はＰＣＳ ＴＸ中にＷＣＤＭＡ ＲＸの同時モニタリングを可能にするため外部ノッチ・フィルタを設けることは、追加すべき余分の部分を必要とし、その結果、余分のコスト（典型的には、ＳＡＷフィルタ及び整合素子のため１米国ドルの範囲で）をもたらす。
【０００４】
・余分なＰＣＢスペース（典型的には、７０ｍｍ２のオーダ）をその余分な部分のため設けなければならない。
・より低い出力電力しかノッチ・フィルタの余分な挿入損失に起因してＤＣＳ又はＰＣＳ帯域においてアンテナで使用可能でないことにより、結果として、３ＧＰＰ（第３世代パートナシップ・プロジェクト）仕様に準拠するための潜在的問題が生じる。
【０００５】
・外部ノッチ・フィルタの減衰はまた、温度の変化で変わり、その結果、移動セルラ・ユニットの温度範囲に対してＷＣＤＭＡ ＲＸ帯域で所望の減衰（例えば、４０ｄＢ）を達成する難しさが生じる。
【０００６】
移動ユニットが、３Ｇ「ワールド・フォーン（ｗｏｒｌｄ  ｐｈｏｎｅ）」におけるような２つのタイプのデュアル・モード動作をサポートすることが要求される場合、上記の欠点が、増大される。上記の２つのタイプでは、同じ移動ユニットで、ＵＭＴＳがヨーロッパ（２１１０ＭＨｚでのＷＣＤＭＡ及びＤＣＳ）でサポートされ、そしてＷＣＤＭＡ及びＰＣＳが米国帯域（バンド）でサポートされ、その結果、２つのノッチ、及び米国のケースに対して一層厳しいノッチ挿入損失をもたらす。それは、ＰＣＳ帯域が当該ＰＣＳ帯域においてＷＣＤＭＡ帯域の近くにあるからである。
【発明の開示】
【発明が解決しようとする課題】
【０００７】
従って、前述の欠点を軽減し得る、ＴＤＤ呼中のＦＤＤモニタリングに対する必要性が存在する。
【課題を解決するための手段】
【０００８】
本発明は、添付の特許請求の範囲に記載されるモニタリング装置及び無線通信端末を提供する。
【発明を実施するための最良の形態】
【０００９】
本発明を組み込むデュアル・バンド無線セルラＵＭＴＳ／ＧＳＭ（ユニバーサル移動電話システム／移動通信用グローバル・システム）移動端末においてＴＤＤ呼中に不連続ソフトウエアＦＤＤモニタリングするための１つの装置及び方法が、ここで、一例としてのみ、添付図面を参照して説明されるであろう。
【００１０】
最初に図１を参照すると、既知のデュアル・モードＷＣＤＭＡ及びＰＣＳ／ＤＣＳセルラ通信ハンドセット１００は、ＤＣＳ／ＰＣＳ送信器１１０−１１８、ＷＣＤＭＡ送信器１２０−１２４、ＷＣＤＭＡ受信器１３０、及びＤＣＳ／ＰＣＳ受信器１４０を含む。ＤＣＳ／ＰＣＳ送信器は、ＤＣＳ／ＰＣＳ電力増幅器１１０、整合回路１１２、セラミックＳＡＷノッチ・フィルタ１１４、整合回路１１６、及び関連のフロント・エンド・モジュール１１８を含む。ＷＣＤＭＡ送信器は、ＷＣＤＭＡ電力増幅器１２０、整合回路１２２、及び関連のフロント・エンド・モジュール１２４を含む。ＷＣＤＭＡ受信器１３０は、低雑音増幅器１３２を含む。ＤＣＳ／ＰＣＳ受信器１４０は、低雑音増幅器１４２を含む。ＤＣＳ／ＰＣＳ送信器、ＷＣＤＭＡ送信器、ＷＣＤＭＡ受信器、及びＤＳＣ／ＰＳＣ受信器は、アンテナ・ダイプレックシング（送受分配）及び／又はアンテナ・スイッチ１５２を介してアンテナ１５０に結合されている。
【００１１】
ここで図２を参照すると、ハンドセット１００がＷＣＤＭＡ（ＦＤＤ）受信モードにあるとき（図２の上側部分）、全てのＷＣＤＭＡ基地局コードＣ０からＣ１４は、常に、各ＷＣＤＭＡフレームにおいて「オン」であり、そしてハンドセット１００は、それぞれのスロット２０２０−２０２１４の中のコードＣ０−Ｃ１４のそれぞれを見る。１５個のＷＣＤＭＡスロット２０２０−２０２１４のそれぞれは、６６６．６６６μｓ（マイクロ秒）の持続時間ｔＷＣＤＭＡ＝２５６０×Ｔｃｈｉｐを有し（ここで、Ｔｃｈｉｐは、１／３８４０Ｋｂｉｔ／ｓ（キロビット／秒）に等しいＷＣＤＭＡチップ期間である。）、そして各ＷＣＤＭＡフレームは、１０ｍｓ（ミリ秒）（１５×ｔＷＣＤＭＡ）、即ち、ＴＷＣＤＭＡ＝３８４００×Ｔｃｈｉｐに等しい持続時間ＴＷＣＤＭＡを有する。
【００１２】
ＤＣＳ／ＰＣＳ（ＴＤＤ）モード（図１の下側部分）においては、持続時間ｔＧＳＭのＤＣＳ／ＰＣＳ送信スロット（２つの連続的スロット２０４及び２０６が示されている。）は、４．６１５ｍｓ（８×ｔＧＳＭ）の期間ＴＧＳＭと共に生じる。ここで、ｔＧＳＭ＝１５６．２５×Ｔｂｉｔｓであり、そしてＴｂｉｔｓは、Ｔｂｉｔｓ＝１／２７０．８３３Ｋｂｉｔ／ｓに等しいＧＳＭビット期間であり、従ってＴＧＳＭ＝１２５０×Ｔｂｉｔｓである。
【００１３】
我々は、ＷＣＤＭＡチップ計数に対して参照されたＧＳＭタイミングを表す場合、１つのＤＣＳ／ＰＣＳ送信スロット（例えば、２０４）の長さは、ＷＣＤＭＡの１５６．２５×Ｔｂｉｔｓ／Ｔｃｈｉｐ＝２２１５．３８７３チップに等しい。
【００１４】
セルラ・ハンドセット又はモジュール１００がＤＣＳ／ＰＣＳ呼にあるとき、ソフトウエアは、有り得るハンドオーバ及び／又はセル再選択のためＷＣＤＭＡ帯域をモニタリングする。プロセスは、５ＭＨｚチャネル全体を物理的にモニタリングし、そして各ＦＤＤ基地局（ＷＣＤＭＡ）に関する電力／同期情報をレビュー（点検）することを含む。物理的チャネルは、変わらないままである。移動ユニットは、ＦＤＤ基地局のレベルを測定し、そしてまたコード・シーケンスＣ０，Ｃ１，…Ｃｎ，…Ｃ１４を決定することにより、どの基地局をその移動ユニットが読み出しているかを復号することが必要である。各ＦＤＤ基地局は、ＳＣＨ２チャネル上で送信される６４個のあり得るシーケンス・コードの中の一義的シーケンス・コードＣ０，Ｃ１，…Ｃｎ，…Ｃ１４を有し、そしてこれは、全ての１０ｍｓのＷＣＤＭＡフレームで繰り返される。
【００１５】
ＤＣＳ／ＰＣＳプロセスは、ＤＣＳ／ＰＣＳネットワークに対する同期の周期的送信を含む。ＧＳＭハンドセット送信及びＷＣＤＭＡ基地局のモニタリングは、互いに非同期である。
【００１６】
ここで図３を参照すると、スロット３０２０…３０２６，３０２７…３０２１３，３０２１４を有するＷＣＤＭＡフレームにおいて、ハンドセットは、コードＣ０…Ｃ６，Ｃ７…Ｃ１３，Ｃ１４、を見ると、スロット３０４、３０６及び３０８におけるＤＣＳ／ＰＣＳ送信は、３１０に示されるハッチングされた範囲で干渉／衝突を起こしている。
【００１７】
ＤＣＳ／ＰＣＳ ＴＸスロット３０４がＷＣＤＭＡ Ｃ０スロット３０２０と整列されていると仮定する。：
・Ｃ０，Ｃ６，Ｃ７，Ｃ１３及びＣ１４に関する基地局コード・ビット（ＳＣＨ２）は、図３に示されるように（第１の）１０ｍｓＷＣＤＭＡフレームで破損されるであろう。ＤＣＳ／ＰＣＳＴＸスロットとＷＣＤＭＡフレームのコード・スロットとの間のタイミング関係のため、破損が、以下のように、次の２つの連続的ＷＣＤＭＡフレームにおいて継続することが理解されるであろう。
【００１８】
・Ｃ５，Ｃ６，Ｃ１１及びＣ１２に関する基地局コード・ビット（ＳＣＨ２）は、次の連続的（第２の）１０ｍｓＷＣＤＭＡフレームで破損されるであろう。
・Ｃ４，Ｃ５，Ｃ１０及びＣ１１に関する基地局コード・ビット（ＳＣＨ２）は、次の連続的（第３の）１０ｍｓＷＣＤＭＡフレームで破損されるであろう。
【００１９】
ここで図４を参照すると、ＤＣＳ／ＰＣＳ ＴＸスロットによるＷＣＤＭＡコード・スロットの破損の２つのタイプが起こることができることが理解されるであろう。
１）図４Ａに示されるように、ｔＧＳＭ＜ｔＷＣＤＭＡである場合、単一のＤＣＳ／ＰＣＳ送信スロット４０４は、せいぜい２つのＷＣＤＭＡ基地局コード・スロット４０２０及び４０２１に干渉することができる。
【００２０】
２）図４Ｂに示されるように、ＴＧＳＭ＝４．６１５ｍｓ及びＴＷＣＤＭＡ＝１０ｍｓであるので、２つの完全なＤＣＳ／ＰＣＳ送信サイクルが、１つのＷＣＤＭＡフレームの中で生じる（ＴＷＣＤＭＡ／ＴＧＳＭ＝１０／４．６１５≧２）。従って、２つの連続的ＤＣＳ／ＰＣＳＴＸスロット４５４及び４５６は、単一のＷＣＤＭＡフレームの中のＷＣＤＭＡコード・スロット４５２０−４５２１４に干渉することができる。また、次のＷＣＤＭＡフレームの中の次の干渉サイクルは各後続のＷＣＤＭＡフレームに関して連続的に７７０μｓ（１０−２×４．６１５）だけシフトされた対のＤＣＳ／ＰＣＳＴＸスロット４５４及び４５６からの干渉と考えることができることが理解されるであろう。ＷＣＤＭＡチップ計数の数字で表される実効シフトは、ＷＣＤＭＡチップの（ＴＷＣＤＭＡ−２×ＴＧＳＭ）／Ｔｃｈｉｐ＝３８４００−２×１２５０×ＴＧＳＭ）／Ｔｃｈｉｐ＝２９５３．８０計数に等しい。ＷＣＤＭＡチップの２９５３．８０計数のシフトは、２５６０ＷＣＤＭＡチップに等しいＷＣＤＭＡスロットより大きい。
【００２１】
ここで図５を参照すると、第１のＷＣＤＭＡフレーム（図５の上側部分）において、干渉源ＤＣＳ／ＰＣＳ ＴＸスロット５０４は、コードＣｎ＋１と関連したＷＣＤＭＡコード・スロット５０２ｎ＋１に干渉し、そしてそのスロット５０４は、ハンドセット／移動ユニットにおいて（図５の上側部分の太線の輪郭で示されるように）このコードを破損させる。
【００２２】
次の連続的（第２の）ＷＣＤＭＡフレーム（図５の中間部分）において、干渉源ＤＣＳ／ＰＣＳ ＴＸスロット５１４（７７０μｓだけシフトされたスロット５０４と等価である）は、コードＣｎと関連したＷＣＤＭＡコード・スロット５０２ｎに干渉し、そしてそのスロット５１４は、ハンドセット／移動ユニットにおいて（図５の中間部分の太線の輪郭で示されるように）このコードを破損させる。
【００２３】
次の連続的（第３の）ＷＣＤＭＡフレーム（図５の下側部分）において、干渉源ＤＣＳ／ＰＣＳ ＴＸスロット５２４（７７０μｓだけシフトされたスロット５１４と等価である）は、コードＣｎ−１と関連したＷＣＤＭＡコード・スロット５０２ｎ−１に干渉し、そしてそのスロット５２４は、ハンドセット／移動ユニットにおいて（図５の上側部分の太線の輪郭で示されるように）このコードを破損させる。
【００２４】
本発明は、発明者による次の観察に基づいている。即ち、
ＤＣＳ／ＰＣＳ送信がＳＣＨ２の１スロットの中のモニタリングされているＷＣＤＭＡ基地局コードに干渉している場合、次の干渉源サイクル対（ｉｎｔｅｒｆｅｒｅｒ  ｃｙｃｌｅ  ｐａｉｒ）上で、それは、隣接したそしてより早期の基地局コード・スロットの中にシフトする。次のＷＣＤＭＡフレームでは、それは、再び、次の隣接したそしてより早期の基地局コード・スロットへシフトする。従って、ＤＣＳ／ＰＣＳ送信が２コードに干渉する場合、３つのＷＣＤＭＡフレーム（３つの干渉源サイクル対）において、それは、既に正しく読み出された基地局コードの中に移動する（例えば、Ｃ０，Ｃ６，Ｃ７，Ｃ１３，Ｃ１４が第１のフレーム中に破損され、Ｃ０，Ｃ７，Ｃ１４が第２のフレーム中に破損されないで、Ｃ６，Ｃ１３が第３のフレーム中に破損されない。）。
【００２５】
本発明は、上記の観察に基づく時間ダイバーシティ・スキームを利用する。好適な実施形態においては、これは、ＤＣＳ／ＰＣＳ送信が生じたときＷＣＤＭＡスロット測定値を廃棄又は使用不可にし、そしてデータを３つのＷＣＤＭＡフレーム（３０ｍｓ）にわたり収集した後でのみハンドオーバ判断データベースを更新することにより実行される。
【００２６】
周知のように、ＤＣＳ／ＰＣＳモードにある間に識別されたＷＣＤＭＡセルに関するセル測定手順は、３つの段階で実行される。
段階１−スロット同期化が、正常なセル選択に関して、Ｐ−ＳＣＨ（主同期化チャネル）について実行される。
【００２７】
段階２−フレーム同期化が、Ｓ−ＳＣＨ（副同期化チャネル）について実行される。更に、ＡＦＣ情報が、ＰＳＣ（主同期化コード）との相関を用いて与えられる。
段階３−ＣＰＩＣＨ（共通パイロット・チャネル）が、既知のＳＣＮ（交換回線網）を用いて、１スロットについて復調される。ＣＰＩＣＨＲＳＣＰ（受信された信号コード電力）及びＣＰＩＣＨ Ｅｃ／Ｎｏ（受信されたエネルギのＰＮ（擬似雑音）に対する比、即ち、受信された合計電力スペクトル密度に対するＣＰＩＣＨに関するＰＮ（擬似雑音）チップ）当たりの受信されたエネルギの比）が計算される。
【００２８】
ここで図６を参照すると、以下でより詳細に説明されるように、その好適な実施形態においては、本発明は、破損したスロットを抜かすことに基づいており、そして段階１（ステップ６１０）及び段階３（ステップ６３０）の処理に関しては破損されていないスロットを利用し、そして段階２（ステップ６２０）に関しては、訂正されたコードを抽出し、そして２つの余分のＷＣＤＭＡフレームを待って、破損された残りのコードを抽出する。
【００２９】
本発明の好適な実施形態において処理段階１−３をより詳細に考慮すると、
・ＷＣＤＭＡスロットの同期化を決定することが要求される段階１の処理中に、即ち、スロット・タイミング中に、破損されたスロットを用いないで、そしてＷＣＤＭＡフレームの中に少なくとも１つの破損されてないスロットが存在する。従って、段階１は、あたかもノッチ・フィルタを取り除かなかったかのように、１ＷＣＤＭＡフレームより小さいＷＣＤＭＡフレームの中で行われることができる。
【００３０】
・ＷＣＤＭＡ基地局拡散コード（Ｃ０からＣ１４まで）を決定することが要求される段階２の処理中に、基地局拡散コードが（所与の基地局周波数について）全てのＷＣＤＭＡＲＸフレームで繰り返され、ＤＳＣの１つのＴＸスロットを用いる場合、最大３スロットが１フレームの中で破損されるであろう。しかしながら、スロット持続時間に関してのＤＳＣ（ＴＤＤ）とＷＣＤＭＡ（ＦＤＤ）とのタイミング差に起因して、これは、次のＷＣＤＭＡフレームに関するようなＤＳＣの次のＴＸスロットの位置シフトを可能にし、従ってＣ０からＣ１４までの全ての拡散コードを回復するため３つのＷＣＤＭＡフレームを観測することが必要であることが結果として生じる。
【００３１】
従って、合計の段階２の時間処理は、ノッチ・フィルタを取り除かなかった場合１フレームの代わりに３つのＷＣＤＭＡフレームを必要とする。しかしながら、合計の段階２の処理は、１０ｍｓの代わりに３０ｍｓであり、それは、新しい値を報告するための最大許容可能時間の３ＧＰＰ要件内に依然としてある。
【００３２】
・段階３は、僅かに４つのＷＣＤＭＡスロットを必要とし、そして、「２ ＴＸ」スロットを有するＧＰＲＳのケースでは、少なくとも４つの破損してないＷＣＤＭＡスロットが、処理のため使用可能であろう。従って、要求されたタイミングに関して取り除かれたノッチ・フィルタと挿入されたノッチ・フィルタとの間の変化は無い。
【００３３】
上記で説明した以外の全ての点で、処理段階１−３は、当該技術で知られているように実行されることが認められるであろう。この既知の処理は、当業者の知識内であろうし、そこで本明細書では更に説明する必要がない。
【００３４】
ここで図７を参照すると、本発明の好適な実施形態においては、デュアル・モード（ＷＣＤＭＡ及びＤＣＳ／ＰＣＳ）セルラ通信ハンドセット又は移動装置７００は、図１におけるようにノッチ・フィルタの使用を必要とせずに、上記で説明したように、ＤＣＳ／ＰＣＳ送信によるＷＣＤＭＡコードの破損の影響を未然に防ぐため装置７１０を組み込む。
【００３５】
装置７１０は、ＧＳＭレベル１タイマ７２０、ＷＣＤＭＡレベル１タイマ７３０、これらのタイマ７２０及び７３０の出力にそれぞれ結合された入力を有する反転ＡＮＤ論理ゲート７４０、ＷＣＤＭＡスロット・モニタ機能部７５０、及びＷＣＤＭＡスロット・モニタ機能部７５０により与えられる情報をとりわけ保持するためのハンドオーバ判断データベース７６０を含む。装置７１０はまた、ＷＣＤＭＡレベル１タイマ７３０の出力に結合されたＷＣＤＭＡフレーム・カウンタ７７０を含み、当該ＷＣＤＭＡフレーム・カウンタ７７０は、ハンドオーバ判断データベース７６０に結合された出力を有する。
【００３６】
ＷＣＤＭＡシステムとＤＣＳ／ＰＣＳシステムとの間のタイミング関係が移動装置において既知であるので、移動装置でランするソフトウエアは、ＴＸＤＳＣがＷＣＤＭＡスロットと同じ時間にあたるときを知るため、ＷＣＤＭＡ Ｌ１タイマ（７３０）及びＧＳＭＬ１タイマ（７２０）の経過を追うことができ、そして破損されたＷＣＤＭＡスロットが発生した場合ＷＣＤＭＡモニタリングを廃棄するか又は使用不能にするよう決定することができる。実際には、Ｌ１タイマ７２０及び７３０は、次のとおりに動作する。即ち、
・ＧＳＭ Ｌ１タイマ７２０は、「ビットの４分の１」ＧＳＭで計数する。従って、ＧＳＭタイミング（ｍｓ）＝Ｎｑビット×１／（４×２７０．８３３ＫＨｚ）である。ここで、Ｎｑビット＝Ｎビット×４（Ｎビットは、或る単位期間当たりのＧＳＭビットの数である。）である。即ち、ＧＳＭＬ１タイマ７２０は、Ｔビット／４に等しいクロック周期でもってクロックされて、より高い分解能で計数することを可能にする。
【００３７】
・ＷＣＤＭＡ Ｌ１タイマ７３０は、「チップの４分の１」で計数する。従って、ＷＣＤＭＡタイミング（ｍｓ）＝Ｎｑチップ×１／（４×３８４０ＫＨｚ）である。ここで、Ｎｑチップ＝Ｎチップ×４（Ｎチップは、或る期間当たりのＷＣＤＭＡチップの数である。）である。即ち、ＷＣＤＭＡＬ１タイマ７３０は、Ｔｃｈｉｐ／４に等しいクロック周期でもってクロックされて、より高い分解能で計数することを可能にする。
【００３８】
Ｌ１タイマ７２０及び７３０がＴＸ ＤＣＳ／ＰＣＳがＷＣＤＭＡフレームと同じ時間にあたることを指示するとき、ＡＮＤゲート７４０の反転された出力は、ＷＣＤＭＡモニタ７５０を使用不能にして、破損されたＷＣＤＭＡスロットがハンドオーバ判断に影響を及ぼすのを阻止する。ＷＣＤＭＡフレーム・カウンタ７７０は、ハンドオーバ判断データベース７６０が最後に更新された以降に受信されたＷＣＤＭＡフレームの数を計数し、そして３つのＷＣＤＭＡフレームが受信されてしまうまでハンドオーバ判断データベース７６０が更新されることを阻止する（即ち、更新を遅延させる）（従って、ＷＣＤＭＡフレーム・カウンタ７７０は、フレーム検出器及び遅延素子の両方を提供すると考えることができる。）。こうして、ハンドオーバ判断データベース７６０は、ＷＣＤＭＡスロット・モニタ７５０からの適切なハンドオーバ情報を含むと考えることができる。
【００３９】
別々のＷＣＤＭＡ Ｌ１タイマ７３０及びＧＳＭ Ｌ１タイマ７３０が、図７に示されているが、ＧＳＭタイミングは、以下の関係に従って、単一のＷＣＤＭＡ Ｌ１タイマを用いてＷＣＤＭＡタイミングから導出することができることが理解されるであろう。その以下の関係とは、
経過したＮｑビット＝Ｎｑチップ×２７０．８３３／３８４０
であり、例えば、６２５個の４分の１シンボルの１スロットＧＳＭ（＝１５６．２５×４）は、８８６１，５４９３６８ＷＣＤＭＡ４分の１チップと等価である。
【００４０】
ＧＳＭ及びＷＣＤＭＡ基地局ネットワークが０．５ｐｐｍに最悪ケースで時間同期化され、図示されるような別々のＬ１タイマの使用が有意のドリフト問題を与えない筈であることが認められるであろう。また、単一のＬ１タイマが２つのＬ１タイマの代わりに両方のシステムに対して用いられるケースにおいては、そのように別々に知られているＧＳＭ及びＷＣＤＭＡにおけるＡＦＣは、（０．５ｐｐｍより低い目標に関して）単一のＬ１タイマに対して参照される場合、タイミング更新のため用いることができることに注目されたい。
【００４１】
ＦＤＤ基地局ＳＣＨ２を検出して、どの基地局が前のように１フレームの代わりにモニタリングされるかを知るのに３ＷＣＤＭＡフレームの期間がかかる、即ち、１０ｍｓの代わりに３０ｍｓの時間がかかるにも拘わらず、これは、フェーディングの点でモニタリング性能に影響を与えない。「２ＴＸ」スロットＤＣＳ／ＰＣＳタイプの移動装置を（ＧＰＲＳクラス８におけるように）用いる場合、ＳＣＨ２情報を検出するためのタイミングは、１フレームの代わりに４フレームである。しかしながら、これはフェーディングによりそして報告するタイミング（合計の許可された時間：１５基地局に対して１．５秒）のいずれかの制約により影響を及ぼされないので、それは相変わらず問題ではない。
【００４２】
図８において、ＧＰＲＳクラス８に関して１対のＤＣＳ／ＰＣＳの連続的な被送信スロット８０４が３つの連続的フレーム（フレーム１，フレーム２及びフレーム３）の中のＷＣＤＭＡＲＸのＣｎ＋１コード・スロット８０２ｎ＋１を破損するが、しかし次のフレーム（フレーム４）においては破損しないことが示されている。従って、このシナリオでは、スロット８０２ｎ＋１が段階２の処理に関してこれ以上破損されないことを保証するため、４つのフレームが、要求される。図８で分かることが出来るように、次のことが言える。
【００４３】
・フレーム１において、基準点「ＲＥＦ」（ＷＣＤＭＡスロット８０２ｎ＋１の始まりの位置）からＤＣＳ／ＰＣＳスロット８０４の終わりまでの時間間隔は、次式により与えられる持続時間τ１を有する。
【００４４】
τ１＝６９９０．７０×Ｔｃｈｉｐ
・フレーム２において、「ＲＥＦ」とＤＣＳ／ＰＣＳスロット８０４の終わりとの間の時間間隔は、次式により与えられる持続時間τ２を有する。
【００４５】
τ２＝６９９０．７６×Ｔｃｈｉｐ
−（フレーム間のＤＣＳ／ＰＣＳスロット８０４の「シフト」）
＝（６９９０．７６−２９５３．８０）×Ｔｃｈｉｐ
＝４０３６．９６×Ｔｃｈｉｐ
・フレーム３において、「ＲＥＦ」とＤＣＳ／ＰＣＳスロット８０４の終わりとの間の時間間隔は、次式により与えられる持続時間τ３を有する。
【００４６】
τ３＝６９９０．７６×Ｔｃｈｉｐ−２×「シフト」
＝（６９９０．７６−５９０７．６０）×Ｔｃｈｉｐ
＝１０８３．１６×Ｔｃｈｉｐ
・フレーム４において、「ＲＥＦ」とＤＣＳ／ＰＣＳスロット８０４の終わりとの間の時間間隔は、次式により与えられる持続時間τ４を有する。
【００４７】
τ４＝６９９０．７６×Ｔｃｈｉｐ−３×「シフト」
＝（６９９０．７６−８８６１．４０）×Ｔｃｈｉｐ
＝−１８７０．６４×Ｔｃｈｉｐ。
【００４８】
本発明の実施形態がデュアル・モードＷＣＤＭＡ及びＤＣＳ／ＰＣＳセルラ通信システムの文脈において上記で説明したが、本発明は、より一般的には、同時に存在する第１のモードでの送信と第２のモードでの受信との間で干渉を受ける他のデュアル・モード通信システムで用いられることができることが認められるであろう。
【００４９】
上記で説明され図面に示されたデュアル・モードＷＣＤＭＡ及びＰＣＳ／ＤＣＳハンドセットは、従来の外部ノッチ・フィルタの必要性をなくすことが認められるであろう。ＷＣＤＭＡＲＸフレームがＤＳＣ送信中にＰＳＣ／ＤＳＣ送信器雑音により破損される２〜３のスロットを有することが可能にされ、そしてスキームが、破損されたスロットを考慮しないで、要求された情報を回復するため用いられる。ＷＣＤＭＡＦＤＤ ＲＸモニタリング中に、要求された処理が段階的に実行されることに起因して、そしてＷＣＤＭＡフレーム（副チャネル同期化、段階２の処理）中に測定される情報が全てのフレームで繰り返されるので、所与のスロットがＷＣＤＭＡフレームで破損される場合、次のＷＣＤＭＡフレームにおいて、スロットは、ＰＳＣ／ＤＳＣ送信器プロトコル及びＷＣＤＭＡタイミング・プロトコルとの間のタイミング差に起因してこれ以上破損されないであろう。
【００５０】
上記で説明したデュアル・モード通信システムに使用の方法は、典型的には、プロセッサ（図示せず）上でランするソフトウエアで実行され、そしてソフトウエアは、磁気又は光のコンピュータ・ディスクのようないずれの適切なデータ・キャリア（図示せず）上に担持されるコンピュータ・プログラム要素として提供され得ることが認められるであろう。また、上記で説明されたデュアル・モード通信システムに使用の装置は、代替として、通信システムの端末に使用の集積回路の形式で製造され得ることが認められるであろう。
【００５１】
上記で説明した通信システムにおけるデュアル・モード動作のための装置及び方法は、次の利点を与えるであろうことが理解されるであろう。即ち、
・外部ノッチ・フィルタが無く、コスト、サイズ及び消費電力を低減すること、
・ＵＭＴＳシステムのためのＤＳＣ（ＴＤＤ）呼び出し中にＷＣＤＭＡ（ＦＤＤ）モニタリングすることをサポートすることを維持すること。
【図面の簡単な説明】
【００５２】
【図１】図１は、従来技術のデュアル・モードＷＣＤＭＡ及びＰＣＳ／ＤＣＳセルラ通信ハンドセットを説明する概略ブロック図を示す。
【図２】図２は、図１のシステムのＷＣＤＭＡ（受信）モード及びＰＣＳ／ＤＣＳ（送信）モードのフレームの中の部分的に重なっているスロットを示す概略ブロック・タイミング図である。
【図３】図３は、図１のシステムのＷＣＤＭＡ（受信）のモード及びＰＣＳ／ＤＣＳ（送信）モードのフレームの中の部分的に重なっているスロット間の衝突／干渉を示す、図２の概略ブロック・タイミング図に似た概略ブロック・タイミング図である。
【図４】図４Ａ及び図４Ｂは、図１のシステムのＷＣＤＭＡ（受信）モード及びＰＣＳ／ＤＣＳ（送信）モードのフレームの中の部分的に重なっているスロット間の異なるタイプの衝突／干渉を示す概略ブロック・タイミング図である。
【図５】図５は、図１のシステムのＷＣＤＭＡ（受信）モードの３つの連続的フレームの中のスロットとＰＣＳ／ＤＣＳ（送信）モードの部分的に重なっているスロットとの間の衝突／干渉を示す概略ブロック・タイミング図である。
【図６】図６は、本発明の好適な実施形態に採用された処理方法を示すフロー・チャートである。
【図７】図７は、本発明を利用するデュアル・バンド・セルラ通信ハンドセットで使用の装置の概略ブロック図を示す。
【図８】図８は、ＷＣＤＭＡ（受信）モードの４つの連続的フレームと「ＧＰＲＳクラス８」（送信）モードの２つの連続的な部分的に重なっているスロットとの間の衝突／干渉を示す、図５の概略ブロック・タイミング図に似た概略ブロック・タイミング図である。
【図１】
2008505572.tif 000003
【図２】
2008505572.tif 000004
【図３】
2008505572.tif 000005
【図４】
2008505572.tif 000006
【図５】
2008505572.tif 000007
【図６】
2008505572.tif 000008
【図７】
2008505572.tif 000009
【図８】
2008505572.tif 000010
【国際調査報告】
2008505572.tif 000011
2008505572.tif 000012